(57)【要約】【課題】  反射板の組み立てが容易で、小型、軽量、安価なコーナーキューブリフレクタと、反射面の向きを調整可能に支持台に取り付け可能とする。【解決手段】  コーナーキューブリフレクタは三枚の反射板を直角に組み立てたものであって、夫々の反射板はその裏側に折り曲げたリブを備えたものであり、それら三枚の反射板を直角に組み立てて、隣接する二枚の反射板のリブ同士を重ねて連結されたものである。コーナーキューブリフレクタへの連結材取付け構造は、コーナーキューブリフレクタの三枚の反射板の頂部に連結材が取り付けられたものである。コーナーキューブリフレクタの外部支持体への取付け構造は、三枚の反射板のうちの一枚を支持台に取り付け、その支持台を外部支持体に取り付けたものである。【選択図】    図１
2019101398.tif 000002
【特許請求の範囲】
【請求項１】
少なくとも三枚の反射板を直角に組み立てたコーナーキューブリフレクタであって、
反射板が板材の周縁部を裏側に折り曲げたリブを備えたものであり、
それら三枚の反射板を直角に組み立てて、隣接する二枚の反射板のリブ同士を重ねて連結された、
ことを特徴とするコーナーキューブリフレクタ。
【請求項２】
請求項１記載のコーナーキューブリフレクタにおいて、
三枚の反射板の反射面側が開放されている、
ことを特徴とするコーナーキューブリフレクタ。
【請求項３】
請求項１記載のコーナーキューブリフレクタにおいて、
三枚の反射板の反射面側に充填材を備えた、
ことを特徴とするコーナーキューブリフレクタ。
【請求項４】
請求項１記載のコーナーキューブリフレクタにおいて、
直角に組み立てられた三枚の反射板の反射面側に、空間をあけて、三枚のカバー板が対向配置され、それらカバー板が板材からその裏側に折り曲げたリブを備えたものであり、それらリブが重ねて連結されて六面体に組み立てられた、
ことを特徴とするコーナーキューブリフレクタ。
【請求項５】
請求項４記載のコーナーキューブリフレクタにおいて、
六面体の内部が中空状又は内部に充填材が充填された、
ことを特徴とするコーナーキューブリフレクタ。
【請求項６】
請求項１から請求項５のいずれか１項に記載のコーナーキューブリフレクタにおいて、
反射板は二枚の板材の間に充填材が充填されたものである、
ことを特徴とするコーナーキューブリフレクタ。
【請求項７】
コーナーキューブリフレクタへの連結材取付け構造において、
コーナーキューブリフレクタが三枚の反射板が直角に組み立てられたものであり、その頂部に連結材が取り付けられた、
ことを特徴とするコーナーキューブリフレクタへの連結材取付け構造。
【請求項８】
コーナーキューブリフレクタを外部支持体に取り付けた、外部支持体へのコーナーキューブリフレクタの取付け構造において、
コーナーキューブリフレクタが三枚の反射板が直角に組み立てられたものであり、その一枚の反射板が支持台に取り付けられた、
ことを特徴とする外部支持体へのコーナーキューブリフレクタの取付け構造。
【発明の詳細な説明】
【技術分野】
【０００１】
本発明は、例えば、人工衛星からの電波を受けて反射させるコーナーキューブリフレクタと、コーナーキューブリフレクタへの連結材取付け構造と、外部支持体へのコーナーキューブリフレクタの取付け構造に関するものである。
【背景技術】
【０００２】
コーナーキューブリフレクタは電波を入射方向に反射するものであり、正方形又は直角二等辺三角形の反射板三枚を、互いに直角に組み立てたものである（特許文献１〜４）。
【先行技術文献】
【特許文献】
【０００３】
【特許文献１】実開昭６３−２１９０３号公報
【特許文献２】実開平２−８１４０７号公報
【特許文献３】特開昭６３−２０６７０２号公報
【特許文献４】特開２０１４−２２６８４号公報
【発明の概要】
【発明が解決しようとする課題】
【０００４】
特許文献１のコーナーキューブリフレクタは、図１３（ａ）のように、厚肉の反射板Ａを組み立てるものである。しかし、これは重く、高価である。図１３（ｂ）のように、削り出しにより板Ｂにすると厚肉の反射板を組み合わせた場合よりも高価になる。図１３（ｃ）のように、薄肉の反射板Ｃは溶接により、或は蝶番を使用する等して組み立てることになるため、組み立てが面倒である。
【０００５】
本発明は前記課題を解決するものであり、三枚の反射板を直角に組み合わせ易く、反射板同士の組み立て連結が容易で、小型、軽量で、安価なコーナーキューブリフレクタと、コーナーキューブリフレクタの簡潔な取り付けと、向き調整可能な取付け構造を実現することを目的とする。
【課題を解決するための手段】
【０００６】
本発明のコーナーキューブリフレクタ（以下、単に「リフレクタ」という。）は、少なくとも三枚の反射板を直角に組み立てたものであり、夫々の反射板は正方形又は直角二等辺三角形の反射板の周縁部に、反射板の裏面側に折り曲げた連結片（リブ）があり、三枚の反射板の連結片同士を重ね合わせて（突き合わせて）直角に組み立てたものである。本発明では反射板に板金と呼ばれている薄板を使用することができる。反射板はその周縁部を反射板の裏面側に折り曲げてリブを成形することができる。裏面側へのリブの折り曲げ角度は三枚の反射板の連結片同士を重ね合わせると、三枚の反射板が直角に組み合わされる角度である。
【０００７】
本発明のリフレクタは、前記したリフレクタの三枚の反射板の反射面に対向配置して、三枚の反射板と直角に連結して六面体にすることもできる。反射面と対向側に保護材を配置固定して反射面を被覆し、保護することもできる。
【０００８】
本発明のリフレクタへの連結材取付け構造は、三枚の反射板が直角に組み立てられたリフレクタのコーナー（頂部）に連結材を取り付けたものである。
【０００９】
本発明の外部支持体へのリフレクタの取付け構造は、三枚の反射板が直角に組み立てられたリフレクタの一枚の反射板を支持台に取り付け、その支持台を外部支持体に取り付けた構造である。
【発明の効果】
【００１０】
本発明のリフレクタは次の効果がある。
（１）三枚の反射板の裏面側に折り曲げられているリブ同士を重ね合わせて連結すると、三枚の反射板の反射面が自動的に直角になるように組み立てられるので、三枚の反射板の組み立てが容易である。
（２）直角に角度出しするための器具とか、補強のための補強材等がなくても直角に組み立て可能であり、構造が簡潔で、小型、軽量、安価にできる。
（３）リフレクタの反射面と対向側に保護材を配置固定して反射面を被覆した場合は、反射面の汚れや損傷を防止でき、リフレクタの補強にもなる。
【００１１】
本発明のリフレクタへの連結材取付け構造は次の効果がある。
（１）リフレクタの反射面の向きを調節可能であるため、電波を所定方向に反射させることができる。
（２）リフレクタの三枚の反射板の頂部に連結材を取り付けた場合は、反射面を上向きにして外部支持体に取り付けることができ、反射面が無指向性になる。
【００１２】
本発明の外部支持体へのリフレクタの取付け構造は、リフレクタの一枚の反射板を支持台に取り付けたので、支持台を水平回転可能、仰角調整可能にすれば、リフレクタの反射面を所望の反射方向（通常は上方）に手軽に向けることができる。
【図面の簡単な説明】
【００１３】
【図１】（ａ）は本発明のリフレクタの斜視図、（ｂ）は組み立て前の反射板の説明図、（ｃ）は組み立て途上の説明図。
【図２】（ａ）は本発明のリフレクタの背面図、（ｂ）は連結説明図。
【図３】本発明のリフレクタの他例の斜視図。
【図４】六面体であって充填材が充填されたリフレクタの斜視図。
【図５】本発明のリフレクタにブロック状の充填剤をセットする説明図。
【図６】反射板の他例を示す説明図。
【図７】本発明のリフレクタをベースに取り付けてカバーを被せる場合の説明図。
【図８】ベースへのリフレクタの取り付け説明図。
【図９】外部支持体への取り付け説明図。
【図１０】（ａ）はカバーの斜視図、（ｂ）（ｃ）はベースへのカバーの取り付け断面図。
【図１１】（ａ）は本発明のリフレクタの三枚の反射板の頂部を連結材に載せて取り付けた場合の説明図、（ｂ）は連結材の平面図、（ｃ）は支持具の斜視図。
【図１２】（ａ）本発明のリフレクタの三枚の反射板の頂部のリブに連結材を取り付けた場合の正面説明図、（ｂ）は背面説明図。
【図１３】（ａ）〜（ｃ）は従来のリフレクタの説明図。
【発明を実施するための形態】
【００１４】
（リフレクタの実施形態１）
本発明のリフレクタの一例を図面に基づいて説明する。図１（ａ）に示すものは三枚の反射板１の反射面２を直角に組み合わせ、三枚の反射板１の反射面２のリブ３を重ねて（突き合わせて）連結してある。夫々の反射板１は正方形であり、その四辺の周縁部にリブ３がある。反射板１は図１（ａ）のように三枚の反射板１を直角に組み立て可能であれば他の形状、例えば、長方形、二等辺三角形等であってもよい。
【００１５】
反射板１の材質は、折り曲げてリブ３を形成するのに適した厚さの板材、例えば、一般に「板金」といわれている金属板を使用するのが適する。反射板１は電波を反射し易い材質の板材が望ましいが、材質が電波を反射しにくい板材或いは反射できない板材の場合は、反射面２に電波を反射可能な材質のシートやフィルムを貼るとか、薄膜をコーテイングしたもの等であってもよい。
【００１６】
リブ３は反射板１の四辺の周縁部を、反射板１の裏側に斜めに折り曲げて形成してある。図２（ｂ）のように、二枚の反射板１のリブ３を重ね合わせると、二枚の反射板１の交差角が９０度になるようにしてある。
【００１７】
リブ３には連結孔４（図１（ｂ））がある。連結孔４は螺子をねじ込み可能な螺子孔或いは螺子なし孔である。図１（ａ）〜（ｃ）の連結孔４は一枚のリブ３に二個ずつ設けてあるが、その個数、位置、大きさ等はリブ３のサイズに合わせて任意に選択可能である。リブ３の連結は面ファスナーとか他の連結手段であってもよい。面ファスナーの場合はリブ３の突き合わせ面に貼りつける。
【００１８】
リブ３には位置合わせ部５（図２（ａ））がある。図２（ａ）の位置合わせ部５は突き合わせる二枚のリブ３の一方に半球状の凸部を、他方に半球状の凹部或いは孔を設けて、二枚のリブ３を重ね合わせると、その凸部と凹部が互いに嵌合して位置決めされるようにしてある。一枚のリブ３に設ける凸部、凹部の形状、構造、数、形成箇所等は任意に設計することができる。
【００１９】
（リフレクタの実施形態２）
図１（ａ）のリフレクタ１０は三枚の反射板１の反射面２の対向面が開放されているが、図３のリフレクタ１０は三枚の反射板１の反射面２の対向面に三枚のカバー板６を対向配置して六面体としてある。この場合、三枚のカバー板６も電波の入・反射が可能な材質製とする。三枚のカバー板６もその周縁部にリブ３を備えており、それらリブ３に連結孔４、位置合わせ部５を設けてある。カバー板６は反射板１と同じ形状、同じサイズであり、外周にリブ３を備えている。三枚の反射板１に対向配置させた三枚のカバー板６も、リブ３同士を重ねて（突き合わせて）連結してある。
【００２０】
（リフレクタの実施形態３）
図３のリフレクタ１０は六面体であり、その内部が中空であるが、図４のように六面体の内部に充填材７を充填することもできる。充填材７は電波の入・反射を阻害しないものであり、例えば、ポリスチレン、発泡ポリエチレン、ウレタン、発泡ポリウレタン等の発泡材が適する。発泡材は粒状或いは面状のものを充填することもできるが、六面体の内部に発泡剤を入れて、その内部で発泡させたものでもよい。
【００２１】
（リフレクタの実施形態４）
図５のリフレクタ１０はリフレクタの三枚の反射板１の内側にブロック状の充填材７をセットして、リフレクタの三枚の反射板１の反射面２に固定したものであってもよい。充填材７の固定は接着剤による固定でもその他の固定手段による固定でもよい。充填材７も電波の入・反射を阻害しないものとする。ブロック状の充填材７の上面と二方の側面の外側にはカバー板６を取り付けて、それら面を包むようにすることもできる。この場合も、三枚のカバー板６はそのリブ３を三枚の反射板１のリブ３に重ねて（突き合わせて）連結する。
【００２２】
（リフレクタの実施形態５）
本発明のリフレクタは、図６のように、リブ３を備えた二枚の板材８を対向配置し、その板材８間に充填材７を充填して一枚とした積層板９を反射板１としても、カバー板６としても使用することができる。この積層板９を使用して図３のように六面体にすることもできる。前記充填材７にもリフレクタ１０の反射面２への電波の入・反射を阻害しない性質のもの、例えば発泡樹脂類を使用する。これら充填材はリフレクタの補強、保護、汚れ防止等に役立つ。板材８も反射板１と同じ形状、同じサイズであり、外周にリブ３を備えている。対向させた二枚の板材８はリブ３同士を重ねて（突き合わせて）連結してある。
【００２３】
（リフレクタへの連結材取付け構造の実施形態１）
本発明のリフレクタへの連結材取付け構造の一例を図３に示す。この実施形態は、上アーム３２と下アーム３３を備えた連結材３１を使用し、直角に広がっている上アーム３２をリフレクタ１０の三枚の反射板１の頂部３８（図２（ａ））の重合リブ３０に取り付け、下アーム３３を支柱（外部支持体）３４に差し込んで螺子止めして取り付け可能としたものである。重合リブ３０は隣接する二枚の反射板１のリブ３同士を突き合わせて連結した箇所である。
【００２４】
（リフレクタへの連結材取付け構造の実施形態２）
図１１（ａ）のリフレクタ取付け構造は、リフレクタ１０の三枚の反射板１の頂部３８に連結材３１を取り付けてある。連結材３１は平面視三角形の受け具３５（図１１（ｂ））と、支持具３６（図１１（ｃ））を備えており、リフレクタ１０の頂部３８を受け具３５の上に載せて受け具３５に固定してある。この場合、溶接、接着剤、電波を反射しない螺子等で固定することができる。支持具３６は図示しない支柱、台、建物等の外部の支持体に取り付け可能である。図３のリフレクタ１０は三方に重合リブ３０があるため、受け具３５の上面が平面であると、受け具３５に載せたリフレクタ１０が不安定になる。この不安定を解消するため、本発明では図１１（ｂ）のように受け具３５の上面三方に受け凹部３７を設けて、それら受け凹部３７に三方の重合リブ３０が入る（収まる）ようにしてある。三方に重合リブ３０が収まる構造であれば、受け凹部３７は図１１（ｂ）のような溝以外であってもよい。
【００２５】
（リフレクタへの連結材取付け構造の実施形態３）
図１１（ａ）（ｂ）の受け具３５は、三方に重合リブ３０（図３）を備えたリフレクタ１０を載せるのに適したものであるが、三方に重合リブ３０がないリフレクタの場合は、受け具３５の受け凹部３７は不要である。その場合は、受け具３５の上面を平面にしておき、その上にリフレクタ１０の一つのコーナーを載せ、そのリフレクタ１０の三枚の反射板１の外面を溶接や、接着剤、電波を反射しない螺子等で受け具３５の受け面に固定することもできる。
【００２６】
（リフレクタへの連結材取付け構造の実施形態４）
図１２（ａ）（ｂ）のリフレクタ取付け構造はリフレクタ１０の三枚の反射板１の頂部３８の三方の重合リブ３０に連結材３１を螺子止めしたものである。重合リブ３０と連結材３１の連結は、溶接、接着剤、電波を反射しない螺子等で行うこともできる。連結材３１は支柱３４に取り付けてあり、その支柱３４を図示しない外部支持体に取り付けることができる。
【００２７】
（リフレクタへの連結材取付け構造の実施形態５）
前記リフレクタへの連結材取付け構造の実施形態１〜４は、リフレクタが図３のような六面体の場合であるが、本発明では、図２（ａ）のように三枚の反射板１だけのリフレクタにも、実施形態１〜４の場合と同様に連結材３１を取り付けることができる。前記実施形態１〜４のように連結材３１を反射板１の頂部３８に取り付けた場合は、連結材３１を地面に対して下向きにして外部支持体に取り付けることにより、三枚の反射板１の反射面が上向きになり、反射方向が無指向性になる。
【００２８】
（外部支持体へのリフレクタの取付け構造の実施形態）
本発明のリフレクタは図７〜図１０のようにして支持台１１に取り付け、その支持台１１を図示しない外部支持体に取り付けることができる。図７は支持台１１が雲台の場合である。図７では図１（ａ）のリフレクタ１０を支持台（雲台）１１に取り付け、リフレクタ１０の外周にカバー１２を被せるものである。図７の支持台１１は円盤状のベース１３、円盤状の向き調整盤１４、受台１５、ブラケット１６を備える。この場合、支持台（雲台）１１が水平回転可能であるため、リフレクタ１０の反射面２を所望の向きに向け易くなる。
【００２９】
図７では一枚の反射板１を底にしてベース１３の上面に水平に取り付ける。この場合、図８のように、二枚の反射板１の重合したリブ３の上に押さえ板１７を重ねてベース１３に固定具１８で固定してある。固定具１８にはタッピングネジとか、ボルト、ナット等を使用することができる。図７では四枚の押さえ板１７で螺子止めしてあるが、螺子止め箇所はそれ以上であってもよい。
【００３０】
リフレクタ１０を取り付けたベース１３はその下の円盤状の向き調整盤１４（図７）に取り付ける。この場合、図９のようにベース３０を向き調整盤１４にボルト、ナット等の固定具１９により固定する。支持台１１は上向き角度（仰角）も調整可能として、リフレクタ１０の反射面２を所望の方向に向け易くするのが望ましい。
【００３１】
向き調整盤１４を方形の受台１５の上に取り付ける。この場合、図９のように向き調整盤１４の外周縁部に止め具２０を被せ、止め具２０を受台１５にビスのような固定具２１で固定する。固定具２１で固定する前に、向き調整盤１４を受台１５の上で水平回転させて、受台１５への向き調整盤１４の固定位置（向き）を決める。この位置決めによりベース１３に取り付けられ、向き調整盤１４に取り付けられているリフレクタ１０の反射板１の反射面２の向きを所望方向に向けることができる。
【００３２】
受台１５の底に二枚のブラケット１６（図７）を取り付ける。この固定にも図９のようにボルト、ナットのような固定具２２を使用することができる。
【００３３】
前記二枚のブラケット１６の間にアーム２３（図７）を差し込んで固定する。この固定にもボルト、ナットのような固定具２４を使用することができる。アーム２３の先端にはリング状のバンド２５が取り付けられている。バンド２５はその開口部２６を広げて、電柱やリフレクタ取り付け用の専用の支柱（以下「支柱」という。）の外周に被せ、開口部２６を螺子止めすることにより支柱に固定することができる。
【００３４】
リフレクタ１０の外周にはカバー１２（図７）を被せることができる。カバー１２はリフレクタ１０の反射面の汚れ防止、開方部への塵芥の溜まり、飛来物の衝突によるリフレクタ１０の破損等を防止するものである。カバー１２はリフレクタ１０の外周に被せ、カバー１２の下端外周縁部を図１０（ｂ）のように、ベース１３の外周縁２７の内側にセットし、ベース１３に螺子止めした止め具２８でベース１３に固定することができる。更に、図１０（ａ）（ｃ）のようにカバー１２の下端部外周にバンド２９を巻き付け、そのバンド２９を締め付けることにより、カバー１２を受台１５に固定することもできる。
【００３５】
本発明リフレクタも、リフレクタへの連結材取付け構造も、外部支持体へのリフレクタの取付け構造も、形状、構造、連結手段等は前記した実施形態に限られるものではなく、本発明の課題を解決可能であれば、それら以外とすることもできる。
【符号の説明】
【００３６】
１    反射板
２    反射面
３    リブ
４    連結孔
５    位置合わせ部
６    カバー板
７    充填材
８    板材
９    積層板
１０    リフレクタ
１１    支持台（雲台）
１２    カバー
１３    ベース
１４    向き調整盤
１５    受台
１６    ブラケット
１７    押さえ板
１８    固定具
１９    固定具
２０    止め具
２１    固定具
２２    固定具
２３    アーム
２４    固定具
２５    バンド
２６    （バンドの）開口部
２７    （ベースの）外周縁
２８    止め具
２９    バンド
３０    重合リブ
３１    連結材
３２    上アーム
３３    下アーム
３４    支柱
３５    受け具
３６    支持具
３７    受け凹部
３８    頂部
Ａ    厚肉の反射板
Ｂ    削り出した板
Ｃ    薄肉の反射板
【図１】
2019101398.tif 000003
【図２】
2019101398.tif 000004
【図３】
2019101398.tif 000005
【図４】
2019101398.tif 000006
【図５】
2019101398.tif 000007
【図６】
2019101398.tif 000008
【図７】
2019101398.tif 000009
【図８】
2019101398.tif 000010
【図９】
2019101398.tif 000011
【図１０】
2019101398.tif 000012
【図１１】
2019101398.tif 000013
【図１２】
2019101398.tif 000014
【図１３】
2019101398.tif 000015